(57)【要約】【課題】化粧面部の曲面部分が容易に変形等することを抑制できる優れた強度を備えた建築用出隅部材を提供する。【解決手段】建築用出隅部材の一例である出隅カバー１００は、建築物の出隅に設けられた敷目板２００に係合される出隅部材であって、敷目板２００は屋外側へ突出し垂直方向に連続した嵌合部２１０を備える。Ｒ型出隅カバー１００は、出隅を曲面状に覆う化粧面部１１０と、嵌合部２１０に係合される係合部１２０とを含み、係合部１２０において、嵌合部２１０と係合する側の反対側（屈曲部１２６）が、化粧面部１１０の裏面１１６に当接している。【選択図】図２
2019124078.tif 000002
【特許請求の範囲】
【請求項１】
建築物の出隅に設けられた敷目板に係合される出隅部材であって、
前記出隅部材は、
前記出隅を曲面状に覆う化粧面部と、
前記敷目板に係合される係合部とを含み、
前記係合部において、前記敷目板と係合する側の反対側が、前記化粧面部の裏面に当接していることを特徴とする、出隅部材。
【請求項２】
前記係合部において、前記敷目板と係合する側の反対側が、前記化粧面部の裏面に垂直方向に連続して当接していることを特徴とする、請求項１に記載の出隅部材。
【請求項３】
前記係合部において、前記敷目板と係合する側の反対側が、前記化粧面部の裏面の略中央部に垂直方向に線状に当接していることを特徴とする、請求項１に記載の出隅部材。
【請求項４】
前記係合部は、水平面視で対称形状を備えた一対の脚部を備え、
前記脚部において、前記敷目板と係合する側の反対側が前記化粧面部の裏面に当接するととともに、前記反対側から前記敷目板側へ向けて前記一対の脚部の間隔が大きくなる形状を備えることを特徴とする、請求項１〜請求項３のいずれかに記載の出隅部材。
【請求項５】
前記一対の脚部の対称線と、前記化粧面部の曲面形状の略中心線とが一致することを特徴とする、請求項４に記載の出隅部材。
【請求項６】
前記化粧面部と前記係合部とが別部材で形成され、前記化粧面部と前記係合部とが接合されていることを特徴とする、請求項１〜請求項５のいずれかに記載の出隅部材。
【発明の詳細な説明】
【技術分野】
【０００１】
本発明は、建築物（構築物を含む）に用いる外装材の長手方向の端部を突き合わせて形成されるコーナー部（出隅部・入隅部）に使用する建築用部材に関し、特に、曲面部の強度を向上させた出隅部材に関する。
【背景技術】
【０００２】
一般に金属板を表面材とし、合成樹脂発泡体を芯材とし、シート状物を裏面材としたサンドイッチ構造の外装材、あるいは無機系の材料からなる外装材を用いて横張り状または縦張り状に壁体を形成した場合には、外装材の長手方向の突き合わせにより目地部が形成され、コーナー部においてはＬ型の出隅材・入隅材を脳天打ちしたり、敷目板と化粧キャップとの２部材の嵌合により形成する方法がある。このような部材については、この部材そのものの強度の向上、この部材が取り付けられる敷目板との取り付け強度の向上、煩雑な成型加工を不要としたコスト削減等が目的として開発が進められている。
【０００３】
特許第６０４１５２０号公報（特許文献１）は、このような目的で開発された外装用役物を開示する。この特許文献１に開示された外装用役物は、垂直平面上の固定片と略中央部分を屋外側へ突出した嵌合部とを形成した敷目板と、複数本の化粧目地が形成された垂直面状の化粧面部の略中央部分の裏面部分に屋内側に突出した係合部をもち前記化粧目地の裏面部分の係合部の根本部分に孔を形成した化粧キャップとの２部材から形成したことを特徴とする。
【０００４】
この特許文献１に開示された外装用役物によると、（１）係合部を連続して形成できるために強度が向上し、（２）係合部を連続して形成できるために敷目板との取り付け強度が向上し、（３）化粧キャップを１部材で形成できるために強度が向上し、コスト削減も図れ、（４）煩雑な成型加工が必要でなくなる等の効果を奏する。
【先行技術文献】
【特許文献】
【０００５】
【特許文献１】特許第６０４１５２０号公報
【発明の概要】
【発明が解決しようとする課題】
【０００６】
上述した特許文献１に開示された外装用役物においては敷目板Ｂと化粧キャップＣとが使用され、化粧キャップＣは敷目板Ｂの嵌合部４に係合される係合部９を備え、敷目板Ｂの嵌合部４に化粧キャップＣの係合部９が係合されることにより敷目板Ｂと化粧キャップＣとが一体化するように施工される。さらに詳しくは、特許文献１の図１（ａ）および図１（ｂ）に示されるように、係合部９は化粧面部８の裏面中央に突出可能な位置を略４５度で適宜間隔で屈曲した立ち上がり部１０と、立ち上がり部１０の先端近傍に外側方に突出して形成した係合片１１からなり、係合片１１は敷目板Ｂの嵌合爪７に係合される。
【０００７】
しかしながら、この特許文献１に開示された外装用役物においては、図１（ｂ）に示されるように、化粧面部８の裏面には立ち上がり部１０の根元が当接しておらず空洞（空間）を形成している。このため、薄板状の化粧面部８の表面の曲面部分に硬い物体（たとえば自転車のフレーム）がぶつかったりして衝撃が加わると、その裏面は立ち上がり部１０の根元と離隔しており空洞であるために、衝撃を受けた部分が陥没して化粧面部８の表面の曲面部分がへこんで変形する場合がある。
【０００８】
本発明は、従来技術の上述の問題点に鑑みて開発されたものであり、その目的とするところは、建築物（構築物を含む）のコーナー部（出隅部）に使用する曲面を備えた建築用部材であって、その曲面が容易に変形等することのない優れた強度を備えた出隅部材を提供することである。
【課題を解決するための手段】
【０００９】
上記目的を達成するため、本発明に係る出隅部材は以下の技術的手段を講じている。
すなわち、本発明に係る出隅部材は、建築物の出隅に設けられた敷目板に係合される出隅部材であって、前記出隅部材は、前記出隅を曲面状に覆う化粧面部と、前記敷目板に係
合される係合部とを含み、前記係合部において、前記敷目板と係合する側の反対側が、前記化粧面部の裏面に当接していることを特徴とする。
【００１０】
好ましくは、前記係合部において、前記敷目板と係合する側の反対側が、前記化粧面部の裏面に垂直方向に連続して当接しているように構成することができる。
さらに好ましくは、前記係合部において、前記敷目板と係合する側の反対側が、前記化粧面部の裏面の略中央部に垂直方向に線状に当接しているように構成することができる。
さらに好ましくは、前記係合部は、水平面視で対称形状を備えた一対の脚部を備え、前記脚部において、前記敷目板と係合する側の反対側が前記化粧面部の裏面に当接するととともに、前記反対側から前記敷目板側へ向けて前記一対の脚部の間隔が大きくなる形状を備えるように構成することができる。
【００１１】
さらに好ましくは、前記一対の脚部の対称線と、前記化粧面部の曲面形状の略中心線とが一致するように構成することができる。
さらに好ましくは、前記化粧面部と前記係合部とが別部材で形成され、前記化粧面部と前記係合部とが接合されているように構成することができる。
【発明の効果】
【００１２】
本発明によると、建築物（構築物を含む）のコーナー部（出隅部）に使用する曲面を備えた建築用部材であって、その曲面が容易に変形等することのない優れた強度を備えた出隅部材を提供することができる。
【図面の簡単な説明】
【００１３】
【図１】本発明に係る出隅部材の一例である出隅カバーの納まり状態を示す斜視図である。
【図２】図１の出隅カバーの断面図であって、（Ａ）は納まり状態を示す全体断面図、（Ｂ）は衝撃非作用時の拡大断面図であって、（Ｃ）は衝撃作用時の拡大断面図である。
【図３】図１の出隅カバーの平面図であって、（Ａ）は図１の矢示３Ａ方向からの平面図、（Ｂ）は図１の矢示３Ｂ方向からの平面図、（Ｃ）は図３（Ａ）の３Ｃ−３Ｃ断面図、（Ｄ）は図３（Ｂ）の３Ｄ−３Ｄ断面図、（Ｅ）は図３（Ｃ）において化粧面部と係合部とを分離した図、（Ｆ）は図３（Ｃ）の矢示３Ｆ領域の拡大図、（Ｇ）は図３（Ｆ）の矢示３Ｇ領域の拡大図である。
【発明を実施するための形態】
【００１４】
以下、本発明に係る出隅部材の一例である出隅カバー１００（以下においてＲ型出隅カバー１００と記載する場合がある）を本発明の実施の形態として、図面に基づき詳しく説明する。このＲ型出隅カバー１００は、建築物（構築物を含む）に用いる外装材３００の長手方向の端部を突き合わせて形成されるコーナー部（出隅部）に使用する外装用部材であって、特に、曲面部（化粧面部１１０の曲面）の強度を向上させた建築外装用出隅部材の一例である。なお、本発明に係る出隅部材は、建築物の外装用として屋外に好適に用いられる建築用部材であるが、外装用（屋外）に限定されるものではなく、たとえばショッピングモール内（屋内）のテナント建屋（建築物）の出隅部に使用することも好ましい。
【００１５】
Ｒ型出隅カバー１００の納まり状態（施工状態）を示す斜視図を図１に、このＲ型出隅カバー１００の納まり状態を示す断面図を図２に、このＲ型出隅カバー１００の平面図を図３に、それぞれ示す。さらに、図２においては、このＲ型出隅カバー１００の納まり状態を示す全体断面図を図２（Ａ）に、衝撃非作用時の拡大断面図を図２（Ｂ）に、衝撃作用時の拡大断面図を図２（Ｃ）に、それぞれ示す。また、図３においては、図１の矢示３Ａ方向からの平面図を図３（Ａ）に、図１の矢示３Ｂ方向からの平面図を図３（Ｂ）に、図３（Ａ）の３Ｃ−３Ｃ断面図を図３（Ｃ）に、図３（Ｂ）の３Ｄ−３Ｄ断面図を図３（Ｄ）に、図３（Ｃ）において化粧面部１１０と係合部１２０とを分離した図を図３（Ｅ）に、図３（Ｃ）の矢示３Ｆ領域の拡大図を図３（Ｆ）に、図３（Ｆ）の矢示３Ｇ領域の拡大図を図３（Ｇ）に、それぞれ示す。
【００１６】
まず、このＲ型出隅カバー１００が備える特徴的な構造について、その概略を説明する。なお、垂直方向および水平面等については、図１に示される方向および面等である。
このＲ型出隅カバー１００は、建築物の出隅に設けられた敷目板２００に係合される建築外装用出隅部材であって、敷目板２００は屋外側へ突出し垂直方向に連続した嵌合部２１０を備える。Ｒ型出隅カバー１００は、出隅を曲面状に覆う化粧面部１１０と、嵌合部２１０に係合される係合部１２０とを含み、係合部１２０において、嵌合部２１０と係合する側の反対側（屈曲部１２６）が、化粧面部１１０の裏面１１６に当接している。
【００１７】
さらに、係合部１２０において、嵌合部２１０と係合する側の反対側（屈曲部１２６）が、化粧面部１１０の裏面１１６に垂直方向に連続して当接している。たとえば、化粧面部１１０の裏面１１６が平面である場合には、係合部１２０における嵌合部２１０と係合する側の反対側（屈曲部１２６）が垂直方向に連続的に当接していることになり、化粧面部１１０の裏面１１６が平面でない（たとえば化粧面部１１０の表面の凹凸形状の意匠が裏面にも現れて平面でない）場合には、係合部１２０における嵌合部２１０と係合する側の反対側（屈曲部１２６）が垂直方向に非連続的に当接していることになる。なお、化粧面部１１０の表面の凹凸形状の意匠が裏面にも現れて平面でない場合において連続的でない（非連続的である）とは、ミクロ的に見た場合にその凹部（のみ）において屈曲部１２６が当接しているとは厳密には言えないので、連続的でないことを示すものに過ぎない。このため、後述する作用効果（化粧面部１１０の表面の曲面部分の強度を高めるという作用効果）については、化粧面部１１０の表面の凹凸形状の意匠が裏面にも現れて平面でない場合であっても発現するものである。
【００１８】
さらに、係合部１２０において、嵌合部２１０と係合する側の反対側（屈曲部１２６）が、化粧面部１１０の裏面１１６の略中央部に垂直方向に線状に当接している。たとえば、図３（Ｅ）に示すように、化粧面部１１０の裏面１１６の略中央部に、係合部１２０における嵌合部２１０と係合する側の反対側（屈曲部１２６）が垂直方向に線状に当接している。
【００１９】
さらに、係合部１２０は、水平面視で対称形状を備えた一対の脚部１２８を備え、これらの脚部１２８において、嵌合部２１０と係合する側の反対側（屈曲部１２６）が化粧面部１１０の裏面１１６に当接するととともに、反対側（屈曲部１２６）から嵌合部２１０側へ向けて一対の脚部１２８の間隔が大きくなる形状を備える。たとえば、図３（Ｆ）に示すように、間隔Ｄ（１）＜間隔Ｄ（２）＜間隔Ｄ（３）となる。
【００２０】
さらに、これら一対の脚部１２８の対称線と、化粧面部１１０の曲面形状の略中心線とが一致する。図３（Ｅ）の一点鎖線に示すように、脚部１２８の対称線と、化粧面部１１０の曲面形状の略中心線とが一致している。
さらに、化粧面部１１０と係合部１２０とが別部材で形成され、化粧面部１１０と係合部１２０とが接合されている。本実施の形態に係るＲ型出隅カバー１００は、１つの化粧面部１１０と２つの係合部１２０とにより形成されている。このため、Ｒ型出隅カバー１００は、特許文献１のように１つの部材を複雑に折り曲げて形成される化粧キャップＣとは異なり、構造の簡単な１つの化粧面部１１０と２つの係合部１２０とを接合すれば良いので簡単に製造することができる点で好ましい。より詳しくは、図３（Ｅ）に示すように、化粧面部１１０を二重折返部１１２にて折り返した二重部１１４に、係合部１２０の端部１２２に挿入されることにより化粧面部１１０と係合部１２０とが別部材で形成されるとともに、これらが接合されている。なお、化粧面部１１０と係合部１２０との接合方法については限定されるものではないが、たとえばリベット等により強固に接合することが好ましい。
【００２１】
以上のように、Ｒ型出隅カバー１００はこのような特徴的な構造を備える建築外装用出隅部材である。以下において、さらに詳しくＲ型出隅カバー１００について説明する。
図１〜図３を参照して、このＲ型出隅カバー１００について詳しく説明する。
まず、図１および図２を参照して、このＲ型出隅カバー１００の納まり状態（施工状態）について説明する。
【００２２】
このＲ型出隅カバー１００は、外装材３００の長手方向の端部が突き合わせられて形成されたコーナー部（出隅部）の敷目板２００に係合されて固定される。この敷目板２００は、壁下地であるコーナー支柱５００に胴縁４００（または胴縁４１０）を介してタッピ
ングビス等の締結部材４０４（または締結部材４１４）により固定されている。また、コーナー支柱５００には、胴縁４００（または胴縁４１０）がタッピングビス等の締結部材４０２（または締結部材４１２）により固定されている。なお、図２の点線で示す円形領域に、図３（Ｃ）および図３（Ｄ）に示すスポンジ等の防水部材Ｓを垂直方向に連続して設けることも好ましい。ここで、この図２に示すＲ型出隅カバー１００の納まり状態における敷目板２００の取付方法（固定方法）は、上述した方法に限定されるものではなく、たとえば胴縁４００（または胴縁４１０）を介さないでコーナー支柱５００に敷目板２００を直接固定する方法であっても構わない。
【００２３】
ここで、Ｒ型出隅カバー１００（化粧面部１１０および２つの係合部１２０）および敷目板２００は、金属製薄板材、たとえば、鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（これらを各種色調に塗装した金属製カラー板を含む）の一種、または、合成樹脂製板材、たとえば塩化ビニル樹脂、ポリカーボネイト樹脂等（これらを各種色調に塗装した合成樹脂製カラー板を含む）の一種を、ロール成形、プレス成形、押出成形、切り欠き加工等によって各種形状に成形したものである。
【００２４】
敷目板２００は長尺状板材であり、図２および図３（Ｅ）に示すように、少なくとも（Ｒ型出隅カバー１００の係合部１２０に係合することのできる）嵌合部２１０を含んで形成したものである。さらに詳しくは、図２および図３（Ｅ）に示すように、嵌合部２１０は、係合部１２０の一対の脚部１２８を爪折返部１３０で折り返した係合爪１３２を収納できる空間２１０Ｃを備える。さらに、嵌合部２１０は、係合爪１３２をこの空間２１０Ｃに速やかに案内する（図３（Ｅ）の白抜き矢示方向へ速やかに案内する）案内部２１０Ａおよびこの空間２１０Ｃから係合爪１３２が離隔しようとすると係合爪１３２の開放先端に当接することによりこの空間２１０Ｃから係合爪１３２が離隔しないための返し部２１０Ｂを備える。ここで、図２および図３（Ｅ）に示す敷目板２００の形状は、上述した形状に限定されるものではなく、たとえば特許文献の図１（ｂ）に示されるような形状であっても構わない。
【００２５】
化粧面部１１０の表面（屋外側）は、外装材３００の化粧面の意匠および断面の形状によって適宜定められるものであり、図１に示すような外装材３００を使用して壁体を形成する場合には、図３（Ａ）および図３（Ｂ）に示すような化粧面部１１０となる。化粧面部１１０の裏面には、化粧面部１１０を二重折返部１１２にて折り返した二重部１１４に、係合部１２０の端部１２２が（図３（Ｅ）の２点鎖線で示すように）挿入されることにより、別部材で形成された化粧面部１１０と係合部１２０とが接合されている。
【００２６】
なお、図３（Ａ）および図３（Ｂ）に示すＲ型出隅カバー１００は、図１に示すように、垂直方向に連結させて使用される。この場合において、限定されるものではないが、図３（Ａ）および図３（Ｂ）に示すオス部１１０Ｍがメス部１１０Ｆに挿入されて（オス部１１０Ｍが屋外側から外観上見えないようにオス部１１０Ｍにメス部１１０Ｆを重ねて）連結される。この場合において、Ｒ型出隅カバー１００の係合部１２０が敷目板２００の嵌合部２１０に係合された後に、オス部１１０Ｍがメス部１１０Ｆに挿入されて垂直方向に連続する２つ以上のＲ型出隅カバー１００が連結される。
【００２７】
Ｒ型出隅カバー１００の係合部１２０は、上述したように化粧面部１１０とは別部材で形成されており、化粧面部１１０と係合部１２０とが接合されると図３（Ｆ）に示すように、化粧面部１１０の裏面１１６の略中央部に一対の脚部１２８が対称になるように配置された形状を備える。この係合部１２０は、垂直方向が長手方向の金属製の薄手鋼板（アルミ・亜鉛合金メッキ鋼板等）を図３（Ｅ）に示す形状に折り曲げて形成される。一対の脚部１２８は、それぞれ、端部１２２から転換部１２４および屈曲部１２６を経由して脚部１２８が形成され、爪折返部１３０で折り返されて係合爪１３２が形成されている。
【００２８】
ここで、このＲ型出隅カバー１００の特徴として、これらの脚部１２８において、嵌合部２１０と係合する側の反対側（屈曲部１２６）が化粧面部１１０の裏面１１６に当接している点を挙げることができる。さらに、係合部１２０における嵌合部２１０と係合する側の反対側（屈曲部１２６）が垂直方向に連続的に（さらには線状に）当接して（化粧面
部１１０の表面の凹凸形状の意匠が裏面にも現れて平面でない場合にも凹部においてミクロ的に見た場合に連続的でないことを除けば垂直方向に連続的に当接して）いる。このため、化粧面部１１０の表面の曲面部分に硬い物体（たとえば自転車のフレーム）がぶつかったりして衝撃が加わっても、その裏面は空洞ではなく嵌合部２１０と係合する側の反対側（屈曲部１２６）が化粧面部１１０の裏面１１６に当接しているために、衝撃を受けた部分が陥没して化粧面部１１０の表面の曲面部分がへこんで変形することを抑制することができる。
【００２９】
さらに、これら一対の脚部１２８の対称線と、化粧面部１１０の曲面形状の略中心線とが一致しているので（図３（Ｅ）の一点鎖線参照）、脚部１２８の対称線と、化粧面部１１０の曲面形状の略中心線とが一致しており、化粧面部１１０の最も出っ張った部分において、一対の脚部１２８におけるそれぞれの屈曲部１２６（２つの屈曲部１２６）が化粧面部１１０の裏面１１６に当接しているので、その部分（化粧面部１１０の最も出っ張った部分）を極めて強固に構成することができる。このため、化粧面部１１０の表面の曲面部分に硬い物体がぶつかったりして衝撃が加わっても、化粧面部１１０の表面の曲面部分がへこんで変形することを抑制することができる。
【００３０】
さらに、係合部１２０の脚部１２８において、嵌合部２１０と係合する側の反対側（屈曲部１２６）が化粧面部１１０の裏面１１６に当接するという特徴に加えて、脚部１２８においては、反対側（屈曲部１２６）から嵌合部２１０側へ向けて一対の脚部１２８の間隔が大きくなる形状を備え、図３（Ｆ）に示すように、間隔Ｄ（１）＜間隔Ｄ（２）＜間隔Ｄ（３）となっている。このため、係合部１２０の一対の脚部１２８における係合爪１３２が嵌合部２１０の空間２１０Ｃに収納された後において、間隔Ｄ（１）＜間隔Ｄ（２）＜間隔Ｄ（３）であるためにＲ型出隅カバー１００が敷目板２００から外れにくく、また、Ｒ型出隅カバー１００が敷目板２００から外す場合にはこれらの間隔Ｄ（１）、間隔Ｄ（２）および間隔Ｄ（３）（特に間隔Ｄ（３））を狭めて空間２１０Ｃから係合爪１３２が離隔させればＲ型出隅カバー１００を敷目板２００から容易に外すことができる。
【００３１】
このＲ型出隅カバー１００の特徴として、上述したように、これらの脚部１２８において、嵌合部２１０と係合する側の反対側（屈曲部１２６）が化粧面部１１０の裏面１１６に当接している。このような特徴を備えるために、化粧面部１１０の表面の曲面部分に硬い物体がぶつかったりして衝撃が加わっても、化粧面部１１０の表面の曲面部分がへこんで変形することを抑制することができるという作用効果を図２（Ｂ）および図２（Ｃ）を参照して詳しく説明する。図２（Ｂ）に示す状態において化粧面部１１０の表面の曲面部分に硬い物体がぶつかったりして衝撃が加わると、図２（Ｃ）に示すように係合部１２０が嵌合部２１０へ喰い込んで、作用点Ｗ（１）において係合部１２０と嵌合部２１０とが当接する。衝撃非作用時を示す図２（Ｂ）においても衝撃作用時を示す図２（Ｃ）においても係合部１２０と化粧面部１１０とは作用点Ｗ（２）および作用点Ｗ（３）において当接している。このため、図２（Ｃ）に示すように、化粧面部１１０に衝撃が加わるとその衝撃は作用点Ｗ（１）、作用点Ｗ（２）および作用点Ｗ（３）で受け止められるために衝撃力が分散される。すなわち、作用点Ｗ（１）、作用点Ｗ（２）および作用点Ｗ（３）を頂点とする三角形により衝撃力を受け止めることができるので、化粧面部１１０の表面に衝撃が加わっても化粧面部１１０の表面の曲面部分がへこんで変形することを抑制することができるという作用効果を発現できる。特に、作用点Ｗ（３）においては、図２（Ｃ）に黒塗り矢示で示す力Ｆが作用するので、これらの力Ｆが互いに作用して（黒塗り矢示方向に押し合って）支持強度を高めることができるために、化粧面部１１０の表面に衝撃が加わっても化粧面部１１０の表面の曲面部分がへこんで変形することを抑制することができるという作用効果を発現できる。
【００３２】
さらに、このＲ型出隅カバー１００の特徴として、図３（Ｅ）に示すように係合部１２０が転換部１２４を備えるために、図３（Ｆ）に示すように係合部１２０の転換部１２４および屈曲部１２６と化粧面部１１０の裏面１１６とで形成される垂直方向に延設された空間Ｖを対称的に備える。すなわち、化粧面部１１０の裏面１１６と屈曲部１２６との接点Ｘと、化粧面部１１０の裏面１１６と転換部１２４との接点Ｙとにより、化粧面部１１
０の曲面を扇形の弧部分として切り取った断面形状を備えた空間Ｖを構成することになる。接点Ｘおよび接点Ｙにおいて化粧面部１１０と係合部１２０とが当接して扇型の弧部分を支持するために（係合部１２０の転換部１２４と屈曲部１２６との間を化粧面部１１０の曲面に面状に当接させることなく）化粧面部１１０の表面の曲面部分の強度を高めることができる。この場合において、対称的に２つの空間Ｖが形成されることも化粧面部１１０の表面の曲面部分の強度を高める点で特に好ましい。なお、上述したように、係合部１２０の転換部１２４と屈曲部１２６との間を化粧面部１１０の曲面に面状に当接させることは、化粧面部１１０の表面の曲面部分の強度を高める点では好ましいものの、係合部１２０を化粧面部１１０の表面の曲面部分に合致するように曲面に加工することが難しい点、係合部１２０を化粧面部１１０の曲面に面状に当接させることが難しい点で、Ｒ型出隅カバー１００の製造コストが上昇するために好ましくない。このＲ型出隅カバー１００は、製造コストを上昇させることなく、化粧面部１１０の表面の曲面部分の強度を高める点で好ましい。
【００３３】
また、各係合部１２０の転換部１２４から端部１２２に亘る部分は、ほぼ平坦面状に形成されており、この部分が、化粧面部１１０の曲面状部分を除く平坦な幅方向端部の裏面に接している。このため、この化粧面部１１０の平坦部分が補強され、変形しにくくなる。
さらに、屈曲している転換部１２４が両外装材３００間の空間に対応する位置に形成されているため、化粧面部１１０の曲面部分のうちの中央部だけでなく、その両側部分も補強され、変形しにくくなる。
【００３４】
なお、図３（Ｆ）に示すように、一対の脚部１２８は互いに接していないが、化粧面部１１０の表面の曲面部分の強度をさらに高める等を目的として、一対の脚部１２８が互いに接するように化粧面部１１０に係合部１２０を接合することも好ましい。この場合、一対の脚部１２８はその最小の間隔Ｄ（０）が０（図３（Ｇ）に示すＤ（０）＝０）となるように互いに接することになる。
【００３５】
以上のようにして、本発明の実施の形態に係るＲ型出隅カバー１００によると、このＲ型出隅カバー１００が出隅を曲面状に覆う化粧面部１１０と嵌合部２１０に係合される２つの係合部１２０の合計３つの部材で構成され、係合部１２０において嵌合部２１０と係合する側の反対側（屈曲部１２６）が化粧面部１１０の裏面１１６に当接している構造を実現している。このため、化粧面部１１０の表面の曲面部分に硬い物体（たとえば自転車のフレーム）がぶつかったりして衝撃が加わっても、その裏面は空洞ではなく嵌合部２１０と係合する側の反対側（屈曲部１２６）が化粧面部１１０の裏面１１６に当接しているために、衝撃を受けた部分が陥没して化粧面部１１０の表面の曲面部分がへこんで変形することを回避することができる。
【００３６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３７】
本発明は、建築物（構築物を含む）に用いる外装材の長手方向の端部を突き合わせて形成されるコーナー部（出隅部）に使用する建築外装用出隅部材に好ましく、容易に変形等することのない優れた強度を備え化粧面部の表面の曲面部分に硬い物体（たとえば自転車のフレーム）がぶつかったりして衝撃が加わっても曲面部分が容易に変形等することを抑制できる点で特に好ましい。
【符号の説明】
【００３８】
１００  Ｒ型出隅カバー
１１０  化粧面部
１２０  係合部
２００  敷目板
２１０  嵌合部
３００  外装材
４００  胴縁
５００  コーナー支柱
【図１】
2019124078.tif 000003
【図２】
2019124078.tif 000004
【図３】
2019124078.tif 000005